(57)【要約】本発明は、少なくとも１つの好ましくは細長い試料容器、特にはキュベット、を受け入れるための保持具、特に洗浄装置に関し、試料容器は、試料容器等を洗浄するための開口部と、長手方向において開口部に対向し試料容器を閉じる底部とを有する。当該保持具は、長手方向に向いた試料容器の開口部の端部に長手方向に少なくとも部分的に置かれる第１エレメントを有し、この第１エレメントは、試料容器が受け入れられたときに試料容器の開口部と少なくとも部分的に重なるように設計された通路を有し、当該保持具は、試料容器が受け入れられたときに試料容器を洗浄するため開口部を通して流体を導入し排出するように設計されている。保持具はまた、長手方向において第１エレメントに実質的に対向して置かれ、試料容器の底部に少なくとも部分的に長手方向に設置される第２エレメントを有する。第１及び第２のエレメントは、試料容器が第１及び第２のエレメントの間に保持、特に長手方向において第１及び第２のエレメント間に締め付けられるように配置されている。
2019516102.tif 000002
【特許請求の範囲】
【請求項１】
少なくとも一つの好ましくは細長い試料容器（４）、特にキュベット、を受け入れる保持具（３）、特には洗浄装置、であって、試料容器は、開口部（４ａ）と、長手方向（Ｌ）において開口部に反対側にあり試料容器の洗浄の間、試料容器を閉じる底部（４ｂ）とを有し、当該保持具は、
長手方向において試料容器の開口部（４ａ）の端部と少なくとも部分的に当接する第１エレメント（１）であり、上記端部は長手方向（Ｌ）の方に面しており、該第１エレメント（１）は通路（１ａ）を有し、該通路は、試料容器（４）を受け入れた状態において試料容器の開口部（４ａ）と少なくとも部分的に重なるように構成され、かつ、試料容器（４）を受け入れた状態において試料容器を洗浄するため開口部を通して流体を導入し排出するように構成されている、第１エレメント（１）と、
長手方向（Ｌ）において第１エレメント（１）に実質的に対向し試料容器の底部（４ｂ）に対して長手方向において少なくとも部分的に当接する第２エレメント（２）と、を備え、
第１エレメント（１）及び第２エレメント（２）は、長手方向において試料容器が第１エレメント（１）と第２エレメント（２）との間に保持可能、特に締め付け可能なように配置されている、
保持具。
【請求項２】
第１エレメント（１）は、試料容器（４）の方に面する側面において、通路（１ａ）には、長手方向（Ｌ）に垂直な方向（Ｙ）において通路（１ａ）の幅（Ｗ１ａ）よりも大きい幅（Ｗ１ｂ）を有する、長手方向（Ｌ）における凹部（１ｂ）を有し、及び、第１エレメント（１）は、試料容器の開口部（４ａ）における少なくとも一部分が長手方向（Ｌ）において実質的に凹部（１ｂ）に受け入れられることができるように構成されている、請求項１に記載の保持具。
【請求項３】
通路（１ａ）は、第１エレメント（１）において凹部及び／又は穴として形成されている、請求項１又は２に記載の保持具。
【請求項４】
第１エレメント（１）は、本質的に互いに平行で長手方向（Ｌ）に垂直な方向（Ｙ）に伸びる少なくとも２つのレール（１ｃ）を有し、通路（１ａ）はレール（１ｃ）間の空間として形成されている、請求項１又は２に記載の保持具。
【請求項５】
第１エレメント（１）及び／又は第２エレメント（２）は、長手方向（Ｌ）に作用する復元力によって他方のエレメント（１、２）に対して試料容器（４）を押圧する少なくとも一つのばね装置（５）を有し、該ばね装置（５）は、長手方向（Ｌ）においてばね装置（５）を付勢することによって、第１エレメント（１）及び第２エレメント（２）間の距離（Ａ）が増加可能なように好ましくは構成されている、請求項１から４のいずれかに記載の保持具。
【請求項６】
ばね装置（５）は、少なくとも一つのばね要素を有し、該ばね要素は試料容器（４）を受け入れた状態において第１又は第２のエレメントの側面の方へ配置され、その側面は試料容器（４）の方へ配向されており、及び／又は、ばね装置（５）は、ばね要素を有し、該ばね要素は試料容器（４）を受け入れた状態において第１又は第２のエレメントの側面に配置され、その側面は試料容器（４）から離れて配向されている、請求項５に記載の保持具。
【請求項７】
ばね装置（５）は、長手方向（Ｌ）において移動可能で試料容器（４）に対して少なくとも部分的に当接するスタンプ（５ａ）を有する、請求項５又は６に記載の保持具。
【請求項８】
複数の試料容器（４）を同時に受け入れるように配置され、長手方向（Ｌ）に垂直な方向（Ｘ）に沿って列をなして配列されている、請求項１から７のいずれかに記載の保持具。
【請求項９】
保持具に受け入れられた試料容器が傾斜可能なように旋回可能である、請求項１から８のいずれかに記載の保持具。
【請求項１０】
試料容器を洗浄するための、請求項１から９のいずれかに記載の保持具（３）の使用であって、
洗浄流体が試料容器（４）に導入され、
開口部（４ａ）及び通路（１ａ）を通して試料容器（４）から排出される、
保持具の使用。
【発明の詳細な説明】
【技術分野】
【０００１】
本発明は、試料容器、特にキュベット又は試験管等の細長い試料容器、用の保持具（レセプタクル、受取り手段）に関する。このような保持具は、試料容器を洗浄するために特に使用することができる。
【背景技術】
【０００２】
キュベット又は試験管のような試料容器は、石英ガラス又はガラスで通常作られており、比較的高価である。それらは再使用されるものであり、再度使用される前に清浄で残留物がないよう洗浄されねばならない。それらはしばしば圧搾空気で吹かれ乾燥される。
【０００３】
洗浄及び乾燥工程の間、試料容器は、通常、個々に手で保持され、ここでは手袋を着用する必要があり、また手作業の洗浄の間に試料容器を壊すという高い危険性がある。良くても、十分な技能により、例えば２つのキュベットを同時に１つの手で保持することができるものである。よって手作業の洗浄は、非常に時間を消費するものである。
【０００４】
Bel-Art-Productsの「Ｖａｋｕｗａｓｈ」装置、あるいはFirefly Scienceの「Ｐ６５」装置シリーズ等の市販の洗浄装置は、真空の適用によって貯蔵容器から洗浄液を吸い込み、洗浄液は、試料容器の内側へノズルを通して噴霧される。さらに、試料容器の外側壁は、スプレーボトル等からの洗浄液で洗われ、あるいは洗浄されることができる。使用された洗浄液は、三角フラスコに集められる。このような洗浄装置は、最大２つのキュベットを保持することができ、真空ポンプが必要である。食品及びバイオ化学工業において見られるように、無害な試料溶液の残留物を洗浄にするとき、それらの洗浄装置は、満足のいく時間節約、及び手作業の洗濯／洗浄を越える十分な安全面での利益を提示しない。
【発明の概要】
【０００５】
したがって本発明は、簡易な構造を有する試料容器用の保持具で、特に試料容器を洗浄するために使用可能であり、それによって試料容器が保持具に容易に収容可能であり安全かつ確実に収容されたままであり、また容易に除去可能である、保持具を提供することを目的とする。該保持具は、試料容器が確実にかつ清浄に洗浄可能であるように、好ましくは構成されるべきである。好ましくは、洗浄が同時に実行可能なようにいくつかの試料容器を保持可能であるのがよい。
【０００６】
発明によれば、この目的は、請求項１に記載の保持具によって解決される。
【０００７】
したがって、保持具、特に洗浄装置、は、少なくとも１つの細長い試料容器、特にはキュベット、を受け入れるために提供され、該試料容器は、試料容器等を洗浄するための開口部と、長手方向において開口部に反対側の、試料容器を閉じる底部とを有し、ここで保持具は、試料容器の開口部の端部に対して長手方向において少なくとも部分的に当接する第１エレメントを有し、上記端部は長手方向に向いており、ここで第１エレメントは、試料容器が受け入れられたときに試料容器の開口部に少なくとも部分的に重なるように、かつ、試料容器が受け入れられたときに試料容器を洗浄するために開口部を通して流体を導入し排出するように、構成された通路を有し、また保持具は、長手方向において第１エレメントに略反対側にあり長手方向において試料容器の底部に対して少なくとも部分的に当接する第２エレメントを有し、第１及び第２のエレメントは、試料容器が第１及び第２のエレメントの間に保持可能、特には長手方向において第１及び第２のエレメントの間に締め付け可能であるように配置されている。
【０００８】
発明は、試料容器の対向側面に対して当接する第１及び第２のエレメントによって長手方向において第１及び第２のエレメント間に１つ以上の試料容器を保持するという考えに基づいている。第１エレメントは、開口部の端部（エッジ）が長手方向において第１エレメントに接触するような方法で試料容器の開口部に当接する。開口部の反対側において、底部が第２エレメントに対して当接する。試料容器は、この手段にて、長手方向において第１及び第２のエレメント間に、特にぴったりとフィットして保持され、また長手方向において第１及び第２のエレメント間に好ましくは締め付けられる。
【０００９】
試料容器の開口部領域では、試料容器が第１エレメントに当接したとき、洗浄用流体、例えば洗浄液及び圧搾空気、が開口部を通して及び通路を通して試料容器へ導入されそして再び排出することができるように、第１エレメントは構成を有する。言い換えれば、第１エレメントにおける通路は、試料容器が保持されながら、試料容器における開口部を通して試料容器へ注入される洗浄液が試料容器の底部に対して跳ね返り、開口部及び通路を通り再び現れることを可能にする。したがって洗浄液は、試料容器の開口部及び第１エレメントにおける通路を通して、特に同時に、入りかつ出ることができる。
【００１０】
したがって、試料容器が保持具において安全にかつしっかりと保持されながら、洗浄が十分な精度で、かつ残留物のない状態で実行可能である。このことは、例えば、試料容器のハンドリングなしで、あるいはいくつかの試料容器が問題を有することなく、増加した圧力で洗浄液又は圧搾空気を導入可能にする。したがって、本発明は、試料容器の安全な受け入れ又は収容を達成することができ、また、洗浄のために保持具を使用するときには、試料容器の残留物のない再使用のために、完全で信頼できる洗浄が可能になる。
【００１１】
この発明は、多種多様のキュベットあるいは試験管、又は、一般的に、開口部及び対向の底部を有する特に細長い試料容器に適している。この発明は、ストッパキャップ又はねじぶたを有するキュベットに特に適している。キュベットの長手方向に垂直な断面におけるキュベットの底部（ベース）領域は、特に正方形であってもよい。
【００１２】
試料容器を洗浄にするための発明による保持具の使用もまた想定されている。洗浄装置は、発明による保持具を有してもよい。特に、それは、洗浄液を分配する装置及び／又は圧搾空気を適用する装置を有してもよい。
【００１３】
さらに、発明の特に有利な複数の実施形態は、従属請求項において示されている。
【００１４】
好ましい実施形態では、第１エレメントは、通路において長手方向において少なくとも部分的に凹部を有し、該凹部は、長手方向に垂直な方向において上記通路の幅よりも大きな幅を有する。凹部の幅は、試料容器の一部分が試料容器の開口部周りの凹部に実質的に長手方向に受け入れられることができるような幅であるものとする。好ましくは、凹部と通路とは、長手方向に垂直な横方向において試料容器が凹部に当接し、及び長手方向において開口部の端部（エッジ）が凹部に当接する状態で、階段のように形成される。特に、長手方向に垂直な方向における試料容器の滑りを、凹部における収容によって防ぐことができることから、この実施形態は、試料容器がより正確かつ確実に保持具に収容されることを可能にする。
【００１５】
好ましい実施形態では、第１エレメントは、本質的に平板であり、通路を形成する凹部あるいは穴を有する。その凹部は、例えば、円形又は楕円形のミルアウト（打出）された部分の形態のものである。
【００１６】
別の実施形態では、第１エレメントは、長手方向に垂直な方向において、本質的に互いに平行な少なくとも２つのレールを有することができ、その結果、通路はレール間の隙間として形成される。
【００１７】
特に、試料容器が長手方向においてレールに対して当接することができるように、レール間の距離は、レール間の距離方向に沿った試料容器の外径未満である。
【００１８】
特に、レールを有する実施形態の場合、発明による保持具は、レールが延在する方向に沿っていくつかの試料容器を同時に保持するのに適している。
【００１９】
好ましくは、第１及び／又は第２のエレメントは、ばね装置／手段を有し、これによって試料容器は、長手方向に作用する復原力を働かせるばね装置によって、対応する他方の第２又は第１エレメントに対して押圧される。好ましくは、ばね装置が長手方向において予め張力を与えられ又は付勢されたときに、試料容器を挿入するために第１及び第２のエレメント間の距離が増加するように、ばね装置は配置される。一方では、ばね装置は、試料容器の挿入及び除去を単純化し、他方では、第１及び第２のエレメント間に試料容器を締め付ける、少なくともわずかに予め張力がかけられたばねによって、試料容器もまた、より確実に保持具に保持されることができる。
【００２０】
試料容器を受け入れたときに、ばね装置は、試料容器に面する第１及び第２のエレメントの横に位置するように配置されたばね要素を含んでもよい。あるいはまた、もしくは追加して、ばね要素は、試料容器を受け入れたときに、それが第１又は第２のエレメントの側面に配置され、この側面は試料容器から離れて配向されるように、配置されてもよい。
【００２１】
さらにばね装置は、長手方向において移動可能なスタンプを有してもよく、該スタンプは試料容器に対して少なくとも部分的に当接する。ばね要素、例えば渦巻きばね、は、スタンプの周りに配置されてもよい。
【００２２】
第２エレメントは、ばね装置、特にスタンプを有するもの、を有するのが好ましく、その結果、試料容器の底部はスタンプに対して当接可能である。
【００２３】
好ましくは、保持具は、いくつかの試料容器を保持あるいは受け入れることができる。
例えば、複数の試料容器は、長手方向に垂直な一方向において一列に配列可能である。複数列の配置もまた考えることができる。
【００２４】
試料容器に関する複数列配置は、単一列の保持具を有する比較的狭く構成された保持具に比べて、保持具の安定性が改善されたという追加の利点を有する。その安定性は、片持梁によって改善可能である。
【００２５】
さらに、保持具は脚を有することが考えられ、該脚は、保持具が配置される、特に実験台における、支持面に触れずに保持具を位置決めすることを可能にする。
【００２６】
保持具に受け入れられた試料容器を傾けることができるように、保持具は、旋回されることができる。保持具の傾斜あるいは傾けることは、残余の洗浄液を試料容器から流れ出すことがきることから、有利である。
【００２７】
発明による保持具の部品は、洗浄に使用されたとき、洗浄液に耐久性がなければならない。水を除去するために最終洗浄工程で一般的に使用される洗浄液は、一様に残留物なく圧搾空気で吹き飛ばされることができることから、特にエタノール及びイソプロピルアルコールを含む。好ましい実施形態では、それらの洗浄液に耐久性のある物質、プラスチック等、が使用される。したがって、第１及び第２のエレメントは、ポリエチレン又はポリプロピレンで作製されるのが好ましい。ポリテトラフルオロエチレン又はその共重合体のようなフッ素重合体プラスチックもまた好ましい。シリコーンゴム又はフッ素ゴムの使用は、スタンプに関して特に有利である。
【００２８】
発明のさらなる特徴及び利点は、より詳細に下に記述されるだろう。
【図面の簡単な説明】
【００２９】
【図１ａ】本発明の第１実施形態の正面図を示す。
【図１ｂ】本発明の第１実施形態の側面図を示す。
【図２ａ】本発明の第２実施形態の正面図を示す。
【図２ｂ】本発明の第２実施形態の側面図を示す。
【図３】第１実施形態における第１エレメントの上面図を示す。
【図４】第２実施形態における第１エレメントの上面図を示す。
【発明を実施するための形態】
【００３０】
図面の詳細な説明
本発明の好ましい実施形態は、添付の図１−図４を参照しながら以下に詳しく記述される。
【００３１】
図１ａ及び図２ａにおいて、長手方向Ｌ及びそれに垂直なＸ方向は、図面平面内にあり、Ｙ方向は図面平面内へ突入する。
【００３２】
図１ｂ及び図２ｂにおいて、長手方向Ｌ及びそれに垂直なＹ方向は、図面平面内にあり、Ｘ方向は図面平面内へ突入する。
【００３３】
図３及び図４において、Ｙ及びＸ方向は、図面平面内にあり、長手方向Ｌは、図面平面に垂直に伸びる。
【００３４】
図１ａ及び図２ａは、発明の図３を正面図にて示す。長手の試料容器４、特にはキュベット、は、保持具３に収容され、一端に開口部４ａを、反対側端に底部４ｂを有する。試料容器４は、特に、長手方向Ｌにおいて長い。
【００３５】
保持具３は、第１エレメント１を有し、該第１エレメント１は、図１ａに示される第１実施形態では、本質的に平板形状であり、第１エレメント１における凹部として通路１ａが形成されている。第２エレメント２はまた、平板を有してもよく、長手方向において第１エレメント１の実質的に反対側にある。
【００３６】
第２エレメント２は、複数のスタンプ５ａを備えたばね手段／装置５を有し、各スタンプは、長手方向Ｌにおいて試料容器４の底部４ｂに対して当接してもよい。スタンプ５ａは、長手方向Ｌにおいて移動可能であり、図１ａに示される実施形態では、長手方向Ｌにおいてハンドル５ｂを引くことによって、長手方向Ｌにおいて第２エレメント２の板を通り移動可能である。
【００３７】
第１エレメント１及び第２エレメント２は、長手方向Ｌにおいて延在する接続エレメント７によって接続される。
【００３８】
ばね要素６は、ハンドル５ｂが保持具３から外へ移動されるときに、ばね要素６、特に渦巻きばね、が長手方向Ｌにおいて付勢される（バイアスをかけられる）ような方法にて、スタンプ５の周りに設けられる。ハンドル５ｂが引き上げられたとき、ばね要素６がかけられたときに長手方向において第１エレメント１の板とスタンプ５ａとの間にある距離Ａが例えば距離Ａ’に増加するような方法において、スタンプ５ａは、第１エレメント１の平板から離れて移動する。
【００３９】
ばね要素６は、試料容器４が、つまり距離Ａで、装着されたとき、少なくともわずかに予め張力あるいは付勢がかけられる。スタンプ５ａが距離Ａ’で引き上げられたとき、試料容器４は、容易に差し込まれ、又は除去されることができる。
【００４０】
図３は、第１エレメント１の平板に凹部として通路１ａが形成されることを示す。通路１ａは、円形あるいは楕円形であることができるが、異なる形状を有することもできる。通路１ａは、図１及び図３における実施形態では、試料容器４の方へ面する側面において凹部１ｂによって少なくとも部分的に囲まれる。凹部１ｂは、試料容器４の側面及び通路１ａの方に面する、第１エレメント１の平板の表面と共に階段を表し、この場所で、試料容器は開口部４ａの領域に当接することができる。例えば通路１ａのＹ方向における幅Ｗ１ａは、Ｙ方向における凹部１ｂの幅Ｗ１ｂよりも小さい。幅Ｗ１ｂは、収容されるそれぞれの試料容器に、より正確には各試料容器の外径に適応しなければならない。
【００４１】
Ｘ方向において、いくつかの通路１ａの間の距離は、Ａ１ａである。距離Ａ１ａは、良好なハンドリングが確保され、また、できるだけ多くの試料容器が同時に保持具に収容可能であるように、設定されねばならない。
【００４２】
第１エレメント１の平板は、接続エレメント７用の接続ポイント８、特には穴、を有する。
【００４３】
図２及び図４に示される第２実施形態では、保持具は、好ましくは凹部１ａ及び第１エレメント１の平板の代わりに、２つのレール１ｃを有し、これらは本質的に互いに平行で、Ｘ方向に延在する。レール間の空間あるいは隙間、つまりレール間の距離あるいは幅Ｗ１ａ、は、通路１ａを形成する。レール１ｃは、それらが対面する（Ｙ方向において）各側面において凹部１ｂを有してもよく、該凹部は、Ｙ方向に沿ってレール１ｃの断面において階段として形成される。さらに、第２実施形態（あるいは図２ａ、図２ｂ及び図４）は、第１実施形態（あるいは図１ａ、図１ｂ及び図３）に対応し、これは同じ参照符号を使用して説明される。
【００４４】
発明によれば、試料容器４が保持具３に収容されながら、洗浄液が通路１ａを通して試料容器４へ導入されることができる。図に示されたキュベット４は、正方形形状であり、スリット形状の開口部４ａを有する。試料容器４が保持具３に収容されたとき、この開口部４ａは、通路１ａと重なる。試料容器４が保持具３に収容されながら、開口部４ａ及び通路１ａを通して洗浄液が試料容器４へ導入されることができ、特に同時に再び排出可能である。
【００４５】
好ましくは、試料容器４の開口部が、保持具が位置決めされる支持体、特には実験台、の方へ面するように、発明による保持具３あるいは保持具３を有する洗浄装置は、配置される。そして第２エレメントは、第１エレメントの上方に垂直に位置決めされる。
【符号の説明】
【００４６】
１  第１エレメント、
１ａ  通路、
１ｂ  凹部、
１ｃ  レール、
２  第２エレメント、
３  保持具、
４  試料容器、
４ａ  開口部、
４ｂ  底部、
５  ばね装置、
５ａ  スタンプ、
５ｂ  ハンドル、
６  ばね、
７  接続エレメント、
８  接続ポイントあるいは掘削孔、
Ｗ１ｂ  Ｙ方向における凹部の幅、
Ｗ１ａ  Ｙ方向における通路の幅、
Ａ、Ａ’  長手方向における距離、
Ａ１ａ  Ｘ方向における隣接した通路の距離、
Ｌ  長手方向、
Ｘ，Ｙ方向  長手方向に垂直で互いに直交する方向。
【図１ａ】
2019516102.tif 000003
【図１ｂ】
2019516102.tif 000004
【図２ａ】
2019516102.tif 000005
【図２ｂ】
2019516102.tif 000006
【図３】
2019516102.tif 000007
【図４】
2019516102.tif 000008
【国際調査報告】
2019516102.tif 000009
2019516102.tif 000010
2019516102.tif 000011
2019516102.tif 000012